(57)【要約】      （修正有）【課題】歯間の清掃を主眼とし、同時に胃腸疾患の予防に寄与し、ペット愛好家の購買意欲を高める犬用ガムを提供する。【解決手段】本考案の犬用ガムは、ポリデキストロース並びに銅クロロフィリンカリウムを含むことを特徴とする。ポリデキストロースを含むことによって、犬用ガムは全体的に適度の硬度により、歯と歯の間に食い込み、ペットフードの残渣を押し出す効果が期待できるものであり、銅クロロフィリンカリウムにより、胃腸の粘膜修復効果を期待でき、胃腸疾患の予防効果が獲得でき、犬用ガムに対する需要者の購買意欲を高めることができる。【選択図】図１
0003147105.tif 000002
【実用新案登録請求の範囲】
【請求項１】
ポリデキストロース並びに銅クロロフィリンカリウムを含むことを特徴とする犬用ガム。
【請求項２】
ポリデキストロースの含有量が６．８４〜８．８４重量％、銅クロロフィリンカリウムの含有量が１．１２５〜３．１２５重量％であることを特徴とする、請求項１に記載の犬用ガム。
【請求項３】
植物性由来ポリデキストロース、動物性由来ゼラチン、還元水飴、グリコーゲン、ヤギミルクのいずれか１種又はこれらの２種以上からなる主原料と食品用結着剤との混合物を成形した犬用ガムに鋼クロロフィリンカリウムが含まれていることを特徴とする、請求項１又は２に記載の犬用ガム
【考案の詳細な説明】
【技術分野】
【０００１】本考案は、犬用ガムに関し、特に、歯間清掃と胃粘膜修復を目的とする犬用ガムに関するものである。
【背景技術】
【０００２】犬類は、獣骨をかじり、食する習性があるが、従来、この習性に着目して、犬用ガムを犬に与え、ストレスの解消及び歯間清掃を試みていた。
一般の犬用ガムは、牛皮等を所定の短冊形に裁断し、丸め玉結びにし、骨状に形成したもの、或いは牛皮を粗粉砕し、この粉砕物と食品用結着剤との混合物により成形し、スティク状に形成したもの等がある。【０００３】犬用ガムによる効果として、歯と歯の間に挟まったペットフードの残▲さ▼除去を期待するものであるが、その効果は低く、口腔内の汚れにより、口臭や胃腸疾患の引き金になっている。
【考案の開示】
【考案が解決しようとする課題】
【０００４】本考案は、上述した従来の技術が有する課題から考案されたものであって、その目的は、歯間の清掃を主眼とする犬用ガムを提供し、同時に胃腸疾患の予防に寄与し、ペット愛好家の購買意欲を高めることにある。
【課題を解決するための手段】
【０００５】本考案の犬用ガムは、ポリデキストロース並びに鋼クロロフィリンカリウムを含むことを特徴とする（請求項１）。
ポリデキストロースを含むことによって、犬用ガムは全体的に適度の硬度により、歯と歯の間に食い込み、ペットフードの残▲さ▼を押し出す効果が期待できるものであり、銅クロロフィリンカリウムにより、胃腸の粘膜修復効果を期待でき、胃腸疾患の予防効果が獲得でき、犬用ガムに対する需要者の購買意欲を高めることができる。【０００６】上記、ポリデキストロースの含有量が６．８４〜８．８４重量％、鋼クロロフィリンカリウムの含有量が１．１２５〜３．１２５重量％であることが好ましい（請求項２）。
これは、ポリデキストロースの含有量が６．８４重量％及び鋼クロロフィリンカリウムの含有量が１．１２５重量％に満たない場合には、歯と歯の間に食込む適度な硬度を持つガムを得ることが困難となるためであり、逆に８．８４重量％を越える量を含有させても、ガムの硬度が硬すぎ、歯間の清掃をする効果は期待できず、ポリデキストロース無駄となるためである。
上記の観点から、ポリデキストロースの含有量が６．８４〜８．８４重量％並びに銅クロロフィリンカリウムの含有量が１．１２５〜３．１２５重量％であることがより好ましい。【０００７】また、本考案、植物性由来ポリデキストロース、動物性由来ゼラチン、還元水飴、グリコーゲン、ヤギミルクのいずれか１種又はこれらの２種以上からなる主原料と食品用結着剤との混合物を成形した犬用ガムに銅クロロフィリンカリウムが含まれていることを特徴とする、請求項１又は２に記載の犬用ガムが好ましい（請求項３）。
【考案の効果】
【０００８】本考案によると、犬用ガムを日常与えることにより、犬の口腔内清掃と歯間清掃を獲得でき、胃腸疾患を予防する効果が獲得できた。
【考案を実施するための最良の形態】
【実施例】
【０００９】以下、上記した本考案にかかる犬用ガムの最良の実施の形態を詳細に説明する。【００１０】本考案においては、植物性由来ポリデキストロース、動物性由来ゼラチン、還元水飴、グリコーゲン、ヤギミルクのいずれか１種又はこれらの２種以上からなる主原料と副原料である食品用結着剤（ゼラチン）と銅クロロフィリンカリウムの混合物を成形した犬用ガムに使用することもできる。【００１１】上記、犬用ガムの工程は、ゼラチンの膨潤化工程、ゼラチンの加熱溶解工程、ポリデキストロース加熱工程、主原料と副原料の混合工程を経て、本考案犬用ガムが成形される。【００１２】ゼラチンの膨潤化工程は、精製水に３０〜６０分浸すが、ゼラチンの品質により浸す時間は変動する、また、ゼラチンの加熱溶解は、７０〜８０度の「湯煎」により実施し、間断のない、かき混ぜが必須である。【００１３】ポリデキストロース加熱工程は、ポリデキストロースと還元水飴を１１５度まで加熱しながら、かき混ぜが必須である。【００１４】ポリデキストロース加熱工程での、ポリデキストロースの含有量は６．８４〜８．８４重量％、であることが、より好ましい。【００１５】副原料における、銅クロロフィリンカリウムの含有量は１．１２５〜３．１２５重量％であることが、より好ましい。【００１６】主原料と副原料の混合工程は前述の主原料にゼラチンおよび銅クロロフィリンカリウムの副原料を混合し、成形するものである。【００１７】その後、押出成形の形状は、円柱状およびステック形状が好ましく、その場合の直径及び長さは、大型犬、中型犬、小型犬等の犬の種類や、子犬もしくは成犬等のような年齢により種々の直径及び長さのものを形成することが好ましい。
【産業上の利用可能性】
【００１８】このようにして得られた、本考案にかかる犬用ガムは、ポリデキストロースを含むことによって、ガムとしての硬度が歯間に食込みやすく、犬の口腔内清掃が容易になり、需要者の購買意欲を高めることができる。【００１９】また、銅クロロフィリンカリウムは、犬の胃腸疾患を予防する上での、胃腸の粘膜保護が期待でき、骨格や歯の形成、更には細胞活力の維持へも波及効果が期待でき、犬の発育や健康の増進維持に役立ことが期待できる。
0003147105.tif 000003
【手続補正書】
【提出日】平成20年10月9日(2008.10.9)
【手続補正１】
【補正対象書類名】明細書
【補正対象項目名】全文
【補正方法】変更
【補正の内容】
【考案の詳細な説明】
【技術分野】
【０００１】本考案は、犬用ガムに関し、特に、歯間清掃と胃粘膜修復を目的とする犬用ガムに関するものである。
【背景技術】
【０００２】犬類は、獣骨をかじり、食する習性があるが、従来、この習性に着目して、犬用ガムを犬に与え、ストレスの解消及び歯間清掃を試みていた。
一般の犬用ガムは、牛皮等を所定の短冊形に裁断し、丸め玉結びにし、骨状に形成したもの、或いは牛皮を粗粉砕し、この粉砕物と食品用結着剤との混合物により成形し、スティク状に形成したもの等がある。【０００３】犬用ガムによる効果として、歯と歯の間に挟まったペットフードの残渣除去を期待するものであるが、その効果は低く、口腔内の汚れにより、口臭や胃腸疾患の引き金になっている。
【考案の開示】
【考案が解決しようとする課題】
【０００４】本考案は、上述した従来の技術が有する課題から考案されたものであって、その目的は、歯間の清掃を主眼とする犬用ガムを提供し、同時に胃腸疾患の予防に寄与し、ペット愛好家の購買意欲を高めることにある。
【課題を解決するための手段】
【０００５】本考案の犬用ガムは、ポリデキストロース並びに銅クロロフィリンカリウムを含むことを特徴とする（請求項１）。
ポリデキストロースを含むことによって、犬用ガムは全体的に適度の硬度により、歯と歯の間に食い込み、ペットフードの残渣を押し出す効果が期待できるものであり、銅クロロフィリンカリウムにより、胃腸の粘膜修復効果を期待でき、胃腸疾患の予防効果が獲得でき、犬用ガムに対する需要者の購買意欲を高めることができる。【０００６】上記、ポリデキストロースの含有量が６．８４〜８．８４重量％、銅クロロフィリンカリウムの含有量が１．１２５〜３．１２５重量％であることが好ましい（請求項２）。
これは、ポリデキストロースの含有量が６．８４重量％及び銅クロロフィリンカリウムの含有量が１．１２５重量％に満たない場合には、歯と歯の間に食込む適度な硬度を持つガムを得ることが困難となるためであり、逆に８．８４重量％を越える量を含有させても、ガムの硬度が硬すぎ、歯間の清掃をする効果は期待できず、ポリデキストロース無駄となるためである。
上記の観点から、ポリデキストロースの含有量が６．８４〜８．８４重量％並びに銅クロロフィリンカリウムの含有量が１．１２５〜３．１２５重量％であることがより好ましい。【０００７】また、本考案、植物性由来ポリデキストロース、動物性由来ゼラチン、還元水飴、グリコーゲン、ヤギミルクのいずれか１種又はこれらの２種以上からなる主原料と食品用結着剤との混合物を成形した犬用ガムに銅クロロフィリンカリウムが含まれていることを特徴とする、請求項１又は２に記載の犬用ガムが好ましい（請求項３）。
【考案の効果】
【０００８】本考案によると、犬用ガムを日常与えることにより、犬の口腔内清掃と歯間清掃を獲得でき、胃腸疾患を予防する効果が獲得できた。
【考案を実施するための最良の形態】
【実施例】
【０００９】以下、上記した本考案にかかる犬用ガムの最良の実施の形態を詳細に説明する。【００１０】本考案においては、植物性由来ポリデキストロース、動物性由来ゼラチン、還元水飴、グリコーゲン、ヤギミルクのいずれか１種又はこれらの２種以上からなる主原料と副原料である食品用結着剤（ゼラチン）と銅クロロフィリンカリウムの混合物を成形した犬用ガムに使用することもできる。【００１１】上記、犬用ガムの工程は、ゼラチンの膨潤化工程、ゼラチンの加熱溶解工程、ポリデキストロース加熱工程、主原料と副原料の混合工程を経て、本考案犬用ガムが成形される。【００１２】ゼラチンの膨潤化工程は、精製水に３０〜６０分浸すが、ゼラチンの品質により浸す時間は変動する、また、ゼラチンの加熱溶解は、７０〜８０度の「湯煎」により実施し、間断のない、かき混ぜが必須である。【００１３】ポリデキストロース加熱工程は、ポリデキストロースと還元水飴を１１５度まで加熱しながら、かき混ぜが必須である。【００１４】ポリデキストロース加熱工程での、ポリデキストロースの含有量は６．８４〜８．８４重量％、であることが、より好ましい。【００１５】副原料における、銅クロロフィリンカリウムの含有量は１．１２５〜３．１２５重量％であることが、より好ましい。【００１６】主原料と副原料の混合工程は前述の主原料にゼラチンおよび銅クロロフィリンカリウムの副原料を混合し、成形を施すものである。【００１７】その後、犬用ガムの押出成形の形状は、円柱棒状体であり、硬さの異なる３本を編込み形成し、図１で示すような特徴ある形状Ｘが好ましく、円柱棒状体の直径及び長さは、大型犬、中型犬、小型犬等の犬の種類や、子犬もしくは成犬等のような年齢により種々の直径及び長さのものを形成することが好ましい。【００１８】本考案犬用ガムの成形においては、図２で示すとおり、円柱棒状体３本は、硬い円柱棒状体１２、中度の硬さの円柱棒状体１１、軟らかい円柱棒状体１０と、それぞれ硬さが異なることにより、編み込み形成した形状は、よりいっそう歯間に食込み易い凸凹の部分が形成されＹ、噛みこむ際、脱落を防止する編込み状の形状部分Ｙを形成している。
【産業上の利用可能性】
【００１９】このようにして得られた、本考案にかかる犬用ガムは、ポリデキストロースを含むことによって、ガムとしての硬度が歯間に食込みやすく、形状においても歯間に食込みやすく、犬の口腔内清掃が容易になり、需要者の購買意欲を高めることができる。【００２０】  また、銅クロロフィリンカリウムは、犬の胃腸疾患を予防する上での、胃腸の粘膜保護が期待でき、骨格や歯の形成、更には細胞活力の維持へも波及効果が期待でき、犬の発育や健康の増進維持に役立ことが期待できる。
【図面の簡単な説明】
【００２１】
【図１】本考案、犬用ガムの斜視図
【図２】本考案、硬さの異なる円柱棒状体３本を編込んだ本体を側面から見た正面図。
【符号の説明】
【００２２】Ｘ・・・・・本考案、犬用ガムの全体斜視図
Ｙ・・・・・本考案、編込み部分
１０・・・・本考案、軟らかい円柱棒状体
１１・・・・本考案、中度の硬さの円柱棒状体
１２・・・・本考案、硬い円柱棒状体
【手続補正２】
【補正対象書類名】図面
【補正対象項目名】全図
【補正方法】変更
【補正の内容】
【図１】
0003147105.tif 000004
【図２】
0003147105.tif 000005